(57)【要約】【課題】ブラシピンの間隔や広がり等の形態にかかわらず他種類のブラシに簡単に装着することができ、抜け毛等を捨て易くして、自由度が大きく利便性を有するブラシケアシートを提供する。【解決手段】多数のブラシピン１１が備えられたブラシ１０に装着して使用するネット状のブラシケアシート１において、ブラシピン１１の間隔や広がり等に関わらずブラシ１０に装着可能なネットのピッチ寸法を有していることを特徴とするブラシケアシート１。【選択図】　　　図１
2004008468.tif 000002
【特許請求の範囲】
【請求項１】
多数のブラシピンが備えられたブラシに装着して使用するネット状のブラシケアシートにおいて、前記ブラシピンの間隔や広がり等に関わらずブラシに装着可能なネットのピッチ寸法を有していることを特徴とするブラシケアシート。
【請求項２】
前記ブラシケアシートが袋体を形成していることを特徴とする請求項１に記載のブラシケアシート。
【請求項３】
前記袋体の中に脱着可能な筒状体が内装されていることを特徴とする請求項２に記載のブラシケアシート。
【発明の詳細な説明】
【０００１】
【発明の属する技術分野】
本発明は、ペット等に使用するブラシに絡み付いた毛や汚れを取り除くために用いるブラシケアシートに関するものである。
【０００２】
【従来の技術】
ペットの毛を梳かすために使用するブラシには、ペットの抜け毛や、汚れ等が絡みつき、一旦絡み付いた抜け毛等をきれいに取り除くのは、ひじょうに手間がかかる。そのため、絡み付いた毛等を取り除く方法として、ブラシケアシートと呼ばれる不織布等でできたものをブラシピンにさし込み、毛を梳かした後にこの不織布等を抜き取って、絡んだ毛等を取り除いていた。
また、実開平５−４８７２６号公報の詳細な説明には、従来において網状のネットからなるヘヤーブラシの毛くず取り具があるということが記載されいる。そして、ここでは、二本の枠に伸縮性を有する細い糸を幾重にも取り付け、これをブラシに装着して使用するものが提案されており、ブラシの毛の並びが不規則であったり、ブラシの毛の先端が膨らんでいるものであっても、装着できるものとされている。
【０００３】
さらに、特開２００２−１１９３３３号公報には、上記と同様のブラシの補助部材として、融着していない連続繊維をシート状に形成し、さらに目付を調整することによって密度の高いブラシへの装着を簡易にするものとされている。ここでは、ブラシピンをさし込む連続繊維部は各繊維の両端が固定されるか、連続繊維部に格子状の部分接着部を有するものとされている。
【０００４】
【発明が解決しようとする課題】
このようにブラシに絡んだ毛や汚れを取り除くために、前記のような不織布やネット状のブラシケアシートが使用され、提案されているのであるが、これらはシート状とされているので、ブラシから抜き取ったときに抜け毛や汚れ等が飛散してしまったり、抜け毛等を包み込むときに手間がかかる上に手が汚れてしまうという問題がある。さらに、不織布で構成されたブラシケアシートはシート面に毛や汚れがこびりついてしまうと、きれいに取り除くのが困難なので再利用がしずらい。
【０００５】
また、実開平５−４８７２６号公報の記載によるものは、二本に面ファスナー間に単繊維を横縞状に幾重にも並べて構成されているので、シートのみで構成されるものよりも、コストが高い上にこの毛くず取り具に絡みついた抜け毛等を取り除くのは、困難であることが予想される。
さらに、特開２００２−１１９３３３号公報には、各種のブラシに対応できるように決められた範囲の目付としなければならないので、ブラシのタイプごとに品揃えが必要である。しかも、ユーザーが目付の合わないものを仮に購入してしまった場合には、抜け毛をきれにに取り除くことができなかったり、却って装着がしずらくなるという問題がある。また、ここで使用される各連続繊維は密に接着されたものではないので、装着の仕方によってはブラシピンの片方に繊維が寄りついてしまって、ブラシへの装着をし直さなければならないので不便である。
【０００６】
本発明はこのような事情に鑑みてなされたものであり、ブラシピンの間隔や広がり等の形態にかかわらず他種類のブラシに簡単に装着することができ、抜け毛等を捨て易くして、自由度が大きく利便性を有するブラシケアシートを提供することを目的とする。
【０００７】
【課題を解決するための手段】
上記目的を達成するために、本発明は次の技術的手段を講じた。
すなわち本発明にかかるブラシケアシートは、多数のブラシピンが備えられたブラシに装着して使用するネット状のブラシケアシートにおいて、前記ブラシピンの間隔や広がり等に関わらずブラシに装着可能なネットのピッチ寸法を有していることを特徴とする。
上記本発明によれば、ブラシピンの間隔や広がり等に関わらず装着できるように、ネットのピッチ寸法を十分に広くとっているのでほとんどのブラシに装着することができる。
【０００８】
また、前記ブラシケアシートが袋体を形成していることを特徴とする。
前記のブラシケアシートを袋体の形状に形成することで、ブラシに装着して使用した後はブラシに絡み付いた抜け毛をこの袋体に包み込むようにして、ブラシケアシートを取り外すことができるので、抜け毛を飛散させることが少ない。また、ブラシケアシートの底部をブラシの先端に当て、そこからグリップの方へ巻き付けるようにできるので装着がし易い。
前記袋体の中に脱着可能な筒状体が内装されていることを特徴とする。
【０００９】
袋体を形成するブラシケアシートの中に例えば紙や樹脂フィルム等でできた筒状体を入れておき、ブラシをこの筒状体の中へ挿入してから、かかる筒状体のみを引き抜くことによって、ブラシケアシートをブラシへ簡単に装着することができる。
【００１０】
【発明の実施の形態】
図１から図４は本発明にかかるブラシケアシートの一実施形態を示している。ブラシケアシート１は、袋体で構成されている。この袋体は例えば図２に示すように格子状に形成されたネットシートを半折して折り目を底部６とし、その反対側を開口部５とし側縁を融着してなるものである。
格子状を形成する繊維体は、多数の孔部７を保持する剛性が必要とされるので０．０５〜１．００ｍｍ程度の径に成型されたポリエチレン等の熱可塑性樹脂が主に使用される。これ以外にも例えばポリプロピレン、ナイロン等の各種の樹脂を使用することができる。なお、樹脂以外の他の素材を用いることもでき、格子を形成する繊維体の径も前記の径に限られるものではない。
【００１１】
また、袋体は上記の形態に限られるものではなく、底部を一カ所で融着して形成された、例えば一般に使用される果物を包む樹脂ネットのような形態にすることもできる。
このブラシケアシート１をブラシ１０に装着するときは、図１及び図２に示すように、まずこのブラシケアシート１の底部６をブラシ１０のブラシピン１１が付けられている方の先端へ当て、そこからブラシケアシート１の孔部７をブラシピン１１に挿通させつつ、序々にグリップ１３の方向（巻き付け方向３）へ巻き付けるようにして装着する。図３に装着した状態（使用状態）を示す。このようにして簡単にブラシケアシート１を取り付けることができるので、装着に手間がかからない。
【００１２】
使用後は、ペットの抜け毛２０等がブラシピン１１に絡まった状態のままで、図４に示すようにブラシケアシート１の孔部７を、ブラシピン１１から取り外し方向１２へ引き抜きながらはずす。ブラシ１０への装着に際して、ブラシケアシート１が反転された状態で装着されているので、ブラシ１０からブラシケアシート１を取り外すときに、反転させた状態からもとへ戻る反力によって、取り除かれた抜け毛２０等が、袋状を形成するブラシケアシート１の中へ収まるようになる。このように、抜け毛２０等を飛散させることなく包み込むことができるので、周辺を汚すこともなく抜け毛２０等をまとめて捨てることができるので便利である。
【００１３】
また、多数の孔部７が一般に市販されている不織布のように目が詰まったものではなく、ほぼ同形状で十分に広いネットのピッチ寸法を有しているので、抜け毛２０等をきれいに取り除くことは勿論、ブラシピン１１のかかる孔部７への侵入を妨げることが少ないので、ブラシへの装着性が良くブラシピンの形態にかかわらず使用することができる。すなわち、本発明は使用するブラシの大きさ、ブラシピンの広がり具合、間隔や形状等の諸条件にかかわらず使用できるのでひじょうに自由度が高い。
【００１４】
なお、孔部７の形状は格子状にかぎらず、他の形状とすることもできる、例え円形や楕円形等を形成するように構成することもでき、孔部７の大きさも各種の大きさに変更可能である。
このように、このブラシケアシート１のみで各種のブラシへ適応させることができるので、ユーザーにとっては自由度が高く便利である。また、細い繊維を絡ませた不織布のように抜け毛や汚れがブラシケアシートの内部へ侵入してしまうことがないので、洗浄が容易で衛生的であり、一度使用した後も再利用することもできる。さらに、製造業者にとっても他種類の品揃えをする必要がないので、コストを抑えることができる。
【００１５】
図５は、本発明の第２の実施形態を示している。ブラシケアシート１の中に樹脂でできた筒状体１５を内装する。そこで、ブラシケアシート１をブラシ１０に装着する場合、かかる筒状体１５の中へブラシ１０を挿入した後、筒状体１５のみを引き抜くことによって、ネットを形成する網目をブラシピン１１に引っかけることなく簡単にブラシケアシート１を装着することができる。この筒状体１５は樹脂に限らず、紙等を使用することもできる。
また、ブラシケアシート１の開口部５の対向する外側面に面ファスナーを取り付けて、ブラシ１０に装着したときにこのブラシケアシート１をずれないようにすることもできる。第一の実施形態のようにブラシケアシート１をブラシ１０に巻き付けるようにして装着する場合には、開口部５の外側面にかかる面ファスナーを取り付ける。この面ファスナーは、ブラシ１０に装着した状態では、ブラシケアシート１の内側面に位置するので、ブラシ１０のグリップ１３を上下からかかる面ファスナーで挟み込むようにして、張り合わせる。このようにすることで、使用時にブラシケアシート１の開口部７がずれたり、めくれることを防止できる。
【００１６】
なお、本発明にかかるブラシケアシート１は、ペット用に限られるものではなく人用に使用することもできる。本発明にかかる実施形態は以上のとおりであるが、その他の実施形態に応じた設計変更は可能である。
【００１７】
【発明の効果】
以上説明したように、本発明によれば、ブラシピンの密度や広がり等の形態にかかわらず他種類のブラシに簡単に装着することができ、抜け毛等を捨て易くして、自由度が大きく利便性を有するブラシケアシートを提供することができる。
【図面の簡単な説明】
【図１】本発明の一実施形態であるブラシケアシートをブラシへ装着する状態を示す斜視図である。
【図２】ブラシケアシートの斜視図である。
【図３】使用状態を示す側面図である。
【図４】ブラシケアシートをブラシから外す状態と、外した後の側面図である。
【図５】第二の実施形態を示す斜視図である。
【符号の説明】
１　　ブラシケアシート
３　　巻き付け方向
７　　孔部
１２　取り外し方向
１５　筒状体
【図１】
2004008468.tif 000003
【図２】
2004008468.tif 000004
【図３】
2004008468.tif 000005
【図４】
2004008468.tif 000006
【図５】
2004008468.tif 000007